Podtech/llm-jp-corpus-v4-ja_patent huggingface dataset:
(57)【要約】【課題】地下深部に存する地下水の原位置での水質を、地上にて簡易かつ高精度で推定する。【解決手段】推定対象の地下水を原位置から揚水して地上にて水質測定および成分分析を行い、地上にて得られた分析値に対して、水理試験または物理検層結果により得た原位置の圧力および温度のデータを用い、かつ一部の遊離ガスがゼロであることを条件として平衡論による地球化学計算を行うことにより、原位置での地下水の物性値を推定する。【選択図】図１
2009258053.tif 000002
【特許請求の範囲】
【請求項１】
地下深部に存する地下水の原位置での水質を地上にて推定する方法であって、
推定対象の地下水を原位置から揚水して地上にて水質測定および成分分析を行い、地上にて得られた分析値に対して、水理試験または物理検層結果により得た原位置の圧力および温度のデータを用い、かつ一部の遊離ガスがゼロであることを条件として平衡論による地球化学計算を行うことにより、原位置での地下水の物性値を推定することを特徴とする地下水の原位置水質推定方法。
【発明の詳細な説明】
【技術分野】
【０００１】
本発明は地下深部に存する地下水の原位置での水質を地上にて推定する方法に関する。
【背景技術】
【０００２】
特許文献１に示されるように、高レベル放射性廃棄物の処分場は深度数百メートル以下の地下深部に設置される予定である。その安全評価をするには原位置における水質データが必要不可欠であり、特にｐＨ（水素イオン指数）およびＥｈ（酸化還元電位）が重要である。これは、放射性核種の存在形態がｐＨとＥｈによって変化するためであり、それによって岩盤に吸着するのか、または地下水に溶けて移流するのか、その移行形態が大きく異なるためである。
【０００３】
そのような目的で地下深部における地下水の水質を調査する方法としては、従来、ボーリング孔を穿孔して調査対象深度に存する地下水をポンプにより揚水し、地上において水質を計測するとともに成分分析を行い、それにより得られた水質データを原位置での水質データとして想定することが最も一般的である。
【非特許文献１】核燃料サイクル開発機構、わが国における高レベル放射性廃棄物地層処分の技術的信頼性−地層処分研究開発第２次取りまとめ−分冊１  わが国の地質環境、pp.IV-87−IV-92、1999
【発明の開示】
【発明が解決しようとする課題】
【０００４】
ところが、最近の研究により地下深部の水質、特にｐＨ、Ｅｈについては、地上で得られた測定値（推定データ）と原位置での実際の水質データとの間に無視し得ない誤差が生じることがわかってきており、原位置の水質をより高精度で推定するための有効適切な手法の開発が必要とされている。
【０００５】
なお、上記従来の手法のように地下水を地上に揚水して地上において分析を行うことに代えて、ボーリング孔内に水質計を設置して原位置において水質を直接計測したり、地下水を原位置で直接封圧した状態で採水してそのサンプルを地上において不活性ガス雰囲気中で分析するという手法もあり、それによればより高精度のデータ採取が可能ではあるが、そのためには複雑かつ高度の測定システムと測定手法が必要であるし、必然的にかなりの手間と費用を要するものであるので、広く一般に適用することは現実的ではない。
【課題を解決するための手段】
【０００６】
上記事情に鑑み、本発明は地下深部に存する地下水の原位置での水質を地上にて簡易にかつ精度良く推定するための方法であって、推定対象の地下水を原位置から揚水して地上にて水質測定および成分分析を行い、地上にて得られた分析値に対して、水理試験または物理検層結果により得た原位置の圧力および温度のデータを用い、かつ一部の遊離ガスがゼロであることを条件として平衡論による地球化学計算を行うことにより、原位置での地下水の物性値を推定することを特徴とする。
【発明の効果】
【０００７】
本発明によれば、調査対象深度から揚水した地下水を地上で水質測定し採水分析するという従来一般の簡易な手法を踏襲しつつ、それにより得られたデータを理論的に補正することによって高精度の推定値を得ることができる。
したがって、本発明による推定結果を高レベル放射性廃棄物の処分場の計画や設計に反映させることにより、その信頼性や安全性を十分に高めることができる。
また、原位置で水質を直接計測したり原位置でサンプルを直接採取する場合のような複雑かつ高度の測定システムや測定手法が不要であるから、それに比べて水質測定に要する費用と手間を大幅に軽減することができる。
【発明を実施するための最良の形態】
【０００８】
本発明の水質推定方法は、通常のようにボーリング孔を穿孔して調査対象深度に存する地下水をポンプにより揚水し、地上においてその水質を計測するとともに成分分析を行ったうえで、それにより得られた水質データの分析値を元に平衡論による地球化学計算を行うことにより、原位置での地下水の物性値を推定するものである。
その基本的な手順を図１にフローチャートとして示す。
【０００９】
図１に示すように、本発明方法では揚水した地下水の地上における分析値を入力値として入力する。
入力値としては、水質に関わるデータ（ｐＨ、Ｅｈ、水温等）、分析成分量（Ｎａ、Ｋ、Ｃａ、Ｍｇ、Ｃｌ、ＳＯ４２−、ＨＣＯ３−  等）、遊離ガス量とその成分（ＣＨ４、ＣＯ２、Ａｒ、Ｎ２  等）とする。
【００１０】
また、対象となる原位置の圧力と温度を設定する。そのためには予め実施した水理試験または物理検層結果等による補完を行うと良い。
【００１１】
そして、平衡論による地球化学計算（コードPhreeqcを使用）を行い、次式の活量と質量作用方程式により化学種組成を求める。
なお、ここでの平衡論は、鉱物、ガス、固溶体、イオン交換体、吸着表面錯体と反応する水溶液の平衡化学を扱う周知の理論である。
【００１２】
【数１】
2009258053.tif 000003
【００１３】
上記の計算を行う上では、遊離ガスの有無により変数の取り扱いが異なるので、一部の遊離ガスがゼロとなる温度・圧力条件を把握する必要があり、そのために次の手順による計算を行う。
（１）地上と原位置を深度によって分割する。
（２）分割した深度の圧力・温度条件を求める。
（３）その条件で上記の地球化学計算を行う。
（４）一部の遊離ガスがゼロとなるか否かを調べる。
（５）ゼロとならない場合には分割数を調整し、ゼロになるまで以上を繰り返す。
【００１４】
以上の計算により、入力した分析値に対応する出力値を出力する。その出力値は、地上で得られた分析値が平衡論により理論的に補正されたものであって、これにより対象となる原位置の地下水の実際の物性値に高精度で近似した推定値が得られる。
【００１５】
図２は本発明方法による推定結果の一例を示すものである。（ａ）はｐＨの推定値、（ｂ）はＥｈの推定値を示し、（ｃ）は本発明による推定値を原位置での実測値と比較して示すものである。
この結果から、ｐＨ、Ｅｈのいずれについても、本発明による推定値が原位置での実測値に十分に近似した値として求められていることが分かる。
【図面の簡単な説明】
【００１６】
【図１】本発明の推定方法の手順をフローチャートして示す図である。
【図２】本発明の推定方法による推定結果を示す図である。
【図１】
2009258053.tif 000004
【図２】
2009258053.tif 000005
(57)【要約】【課題】箸袋を広告媒体として使うとき箸袋の外面内面に広告を印刷。なお、箸袋の内面に謎・占い・ゲーム等を印刷した広告箸袋を提供する。【解決手段】箸袋（１）の外面（２）内面（４）に広告（３）を印刷。なお、箸袋（１）の内面（４）に謎・占い・ゲーム等（５）を印刷したものを特徴とする。【選択図】図３
2009258573.tif 000002
【特許請求の範囲】
【請求項１】
箸袋（１）の外面（２）に広告（３）を印刷した広告箸袋
【請求項２】
箸袋（１）の内面（４）に広告（３）と謎・占い・ゲーム等（５）を印刷した広告箸袋
【発明の詳細な説明】
【技術分野】
【０００１】この発明は、箸袋に広告と謎・占い・ゲーム等を印刷した広告箸袋。
【背景技術】
【０００２】従来、箸袋は店の案内用で箸を収納するものである。
【発明の開示】
【発明が解決しようとする課題】
【０００３】これは、次のような欠点があった。
従来、箸袋は店の案内用で箸袋に箸を入れる清潔性を保つ消耗品で終わっている。
本発明は、以上の欠点をなくすためになされたものである。
【課題を解決するための手段】
【０００４】箸袋（１）の外面（２）内面（４）に広告（３）を印刷して内面（４）に謎・占い・ゲーム等（５）を印刷する。
本発明は、以上の構成によりなる広告箸袋。
【発明の効果】
【０００５】箸を使用する時、屋外屋内に関わらず箸袋内面の謎・占い・ゲーム等を見ると共に広告開示ができる。又、催し物の案内の場合、箸袋外面の広告で箸袋を広告媒体として生かせる。
【発明を実施するための最良の形態】
【０００６】以下本発明を実施するための最良の形態について説明する。
箸袋（１）の内面（４）に広告（３）と謎・占い・ゲーム等（５）を印刷する。
本発明は以上のような構造である。
これを使用するときは、テーブル等に箸の入った箸袋をセットし箸を使用する時、謎・占い・ゲーム等を見る行為と共に広告を開示することで広告媒体として使用する。
【図面の簡単な説明】
【０００７】
【図１】本発明の姿図である。
【図２】本発明の外面図である。
【図３】本発明の内面図である。
【符号の説明】
【０００８】１  箸袋
２  外面
３  広告
４  内面
５  謎・占い・ゲーム等
６  箸
【図１】
2009258573.tif 000003
【図２】
2009258573.tif 000004
【図３】
2009258573.tif 000005
(57)【要約】【課題】電車内等で簡単に使用できる赤ちゃん等の泣き声を適当な音量に調整可能な音量調整シートを提供することを課題とする。【解決手段】プラスチック、紙、またはこれらの複合材からなる基材シートの中央部に開口を有し、該開口から外側に向い漸次大きくなっている内径を有する隆起部を設けるか、同様の材料からなり、基材シートの中央部に開口を有し、該開口から外側に向い同心円状の変形可能な隆起予定部を設け、使用時に隆起部を形成できる音量調整シートとすることにより解決した。【選択図】  図１
2009258147.tif 000002
【特許請求の範囲】
【請求項１】
基材シートの中央部に開口を有し、該開口から外側に向い漸次大きい内径を有する隆起部を設けたことを特徴とする音量調整シート。
【請求項２】
基材シートの中央部に開口を有し、該開口から外側に向い同心円状の変形可能な隆起予定部を設けたことを特徴とする音量調整シート。
【請求項３】
前記基材シートが、紙、プラスチック、またはこれらの複合材のいずれかからなる請求項１または２記載の音量調整シート。
【請求項４】
請求項１または２に記載の音量調整シートの外側に取り付け部を設けたことを特徴とする音量調整シート。
【発明の詳細な説明】
【技術分野】
【０００１】
本発明は、赤ちゃんの泣き声等の音を減衰可能な音量調整シートに関する。
【背景技術】
【０００２】
例えば、電車内や公共の場所で赤ちゃんが泣いたりすると、親は、周囲の人に迷惑をかけるのではないかと心配しなければならなかった。
この時、完全に消音できなくても、一定以下の音量に調整可能になれば、周囲の人にかける迷惑の程度が低くなり、親の心配の程度が小さくなり、赤ちゃんを連れて安心して乗車できるようになる。
しかしながら、前記のような状況で、簡単に使用できる適当な音量調整シートがなく、このような音量調整シートの実現が望まれていた。
【発明の開示】
【発明が解決しようとする課題】
【０００３】
本発明の目的は、上記課題を解決し、電車内等で簡単に使用できる適当な音量に調整可能な音量調整シートを提供することである。
【課題を解決するための手段】
【０００４】
本発明の音量調整シートは、基材シートの中央部に開口を有し、該開口の周囲に、外側に向い漸次大きい内径を有する隆起部を設けたことを特徴とするものである。
【０００５】
また、本発明の音量調整シートは、基材シートの中心に開口を有し、該開口の周囲に、外側に向い同心円状の変形可能な隆起予定部を設けたことを特徴とするものである。
【０００６】
また、本発明の音量調整シートは、前述した基材シートが、紙、プラスチック、またはこれらの複合材のいずれかからなるものである。
【０００７】
また、本発明の音量調整シートは、請求項１または２に記載の音量調整シートの外側に取り付け部を設けたものである。
【発明の効果】
【０００８】
上述した様に、本発明の請求項１の音量調整シートを用い、口元に音量調整シートの隆起部の反対側を当てて発声すると、開口の径が口元部分の径より小さいので、発生した音量が絞られた状態で、前記開口から外部に発声される。
また、逆に隆起部が口元になるようにして発声すると、開口から基材の反対側に音量が増幅された状態で外部に発声される。
【０００９】
また、本発明の請求項２の音量調整シートは、使用時以外は平坦な状態であり、使用時に、基材シートの同心円状の変形可能な隆起予定部を１方向に押圧すことにより、前記隆起予定部が一方向に突出した状態に変形し、先端に開口を有する隆起部を形成することができ、請求項１と同様の音量の調整が可能となる。
【発明を実施するための最良の形態】
【００１０】
図１は本発明の音量調整シートの構造を示す説明図、図２は本発明の他の例を示す説明図である。
図１に示す本発明の音量調整シートは、基材シート１０の中央部に開口１１を有し、該開口１１の周囲に、外側に向い漸次大きい内径を有する隆起部１３を設けた音量調整シートである。
また、図２に示す音量調整シートは、基材シート１０の中央部に開口１１を有し、該開口１１の周囲に、外側に向い漸次大きい内径を有する変形可能な隆起予定部１５を設けた音量調整シートである。
【００１１】
前述した基材シート１０は、紙、プラスチック、またはこれらの複合材のいずれかから構成されている。
【００１２】
また、図１に示した音量調整シートの前記隆起部１３は、ラッパ状に広がる形状で、先端の径が短い位置に開口１４を設けた構成となっている。
前記材料がプラスチックからなる場合は、射出成形により、先端に開口１１を有する所定形状の隆起部１３を形成する、または、プラスチックシートを熱成形し、前記と同様に、先端に開口１１を有する所定形状の隆起部１３を形成することができる。
【００１３】
また、図２に示した音量調整シートの前記隆起予定部１５は、開口１４を中心として周囲に同心円状に変形部１６を有する構成となっている。
そして、図２に示した音量調整シートを形成する材料は、紙、プラスチック、またはこれらの複合材のいずれも使用可能である。
そして、図２に示した音量調整シートを実際に使用する場合は、図３に示すように、前記隆起予定部１５を片側から押圧し、変形部１６を変形させ、図１に示した隆起部と同様の先端の径の短い位置に開口１４を有するラッパ状の隆起部１８を形成する。
【００１４】
前記隆起部１３，１８は、ラッパ状に広がる形状で、最も径が短い先端の位置に開口１１、１４が設けられた構成となるので、この音量調整シートを用いて、開口側に発声すると音量が減衰され、実際に発声された音量より小さい音量で外部に到達する。
また、逆に隆起部１３、１８の開口側から発声すると、ラッパ状に広がる方向に進行するので、実際に発声された音量より大きな音量で外部に到達する。
【００１５】
また、図４、図５に示すように、図１または図２に示す音量調整シートの外側に、例えば、不織布等の材料からなり、取り付け穴２４、２５を有する取り付け部２０、２１を設けた構成としてもよい。
このように、取り付け部２０、２１を設けることにより、口元に確実に接触させることができ、音量調整シートの使用が容易となる。
【図面の簡単な説明】
【００１６】
【図１】本発明の音量調整シートの一例を示す部分破断説明図である。
【図２】本発明の音量調整シートの他の例を示す部分破断説明図である。
【図３】図２の音量調整シートを実際に使用する状態を示す部分破断説明図である。
【図４】本発明の音量調整シートの他の例を示す部分破断説明図である。
【図５】本発明の音量調整シートの他の例を示す部分破断説明図である。
【符号の説明】
【００１７】
１０・・・基材シート
１１、１４・・・開口
１３、１８・・・隆起部
１５・・・隆起部
１６・・・変形部
２０、２１・・・取り付け部
２４、２５・・・取り付け穴
【図１】
2009258147.tif 000003
【図２】
2009258147.tif 000004
【図３】
2009258147.tif 000005
【図４】
2009258147.tif 000006
【図５】
2009258147.tif 000007
(57)【要約】【課題】金型組立て時、リターンピンを引き込む工程を、簡単かつ素早くするための、リターンピン引き込み工具を提供する。【解決手段】リターンピンを引き込むキャップボルトに、支点軸を介してグリップを取り付け、グリップを引き起こす事により、リターンピンを引き込む、以上を特徴とする、リターンピン引き込み工具である。【選択図】図１
2009220263.tif 000002
【特許請求の範囲】
【請求項１】
リターンピンを引き込むキャップボルトに、支点軸を介してグリップを取り付け、グリップを引き起こす事により、リターンピンを引き込む、
以上を特徴とする、リターンピン引き込み工具である。
【発明の詳細な説明】
【技術分野】
【０００１】  本発明は、金型組立て時、リターンピンを引き込む工程を、簡単かつ素早くするための、リターンピン引き込み工具である。
【背景技術】
【０００２】  従来は、リターンピンを引き込む時、リターンピンの先端にタップを立て、キャップボルトとリターンピンの間にワッシャーを挟み、キャップボルトを六角レンチで回し込むことにより、リターンピンを引き込んでいた。
【発明の開示】
【発明が解決しようとする課題】
【０００３】  そのため次のような問題点があった。
（イ）リターンピンを引き込むストローク分キャップボルトを回し込まないといけないので、大変時間がかかる。
（ロ）リターンピンを引き込み、金型を組立てた後、キャップボルトを外す際も、同じ回転分、回すので時間がかかる。
（ハ）たまにキャップボルトがきつく締まってしまい、外しずらくなる、
本発明は、これらの問題点を解決するためになされたものである。
【課題を解決するための手段】
【０００４】  リターンピンを引き込むキャップボルトに、支点軸を介してグリップを取り付け、グリップを引き起こす事により、リターンピンを引き込む、
以上を特徴とする、リターンピン引き込み工具である。
【発明の効果】
【０００５】  金型の組立てしずらい物の一つである、突き出し板の組立てを、スムーズかつスピーディーに組立て、作業者の負担を軽減するとともに、メンテナンスの時間を短くする効果をもたらす。
【発明を実施するための最良の形態】
【０００６】  以下、本発明の実施の形態を説明する。
（イ）カム面（１）引き込み停止位置面（２）グリップ（１）の形状をした鋼に、支点軸（２）を設ける。
（ロ）支点軸（２）を中心に回転するように、キャップボルトホルダー（８）を取付ける。
（ハ）キャップボルトホルダー（８）に、キャップボルト（４）を通す。
（ニ）キャップボルト（４）に、金型傷防止カラー（３）を通し、最後にキャップボルト抜け防止（５）を取付ける。
本発明は、以上の構成よりなっている。
本発明を使用する時は、キャップボルト（４）を、引き込み停止面（７）に対して平行にした状態で、タップを設けたリターンピン先端に、キャップボルト抜け防止（５）が当たるまで、キャップボルト（４）を回し込む。
そしてグリップ（１）を引き起こし、金型傷防止カラー（３）の上面に、カム面（６）を滑らせ、金型傷防止カラー（３）と支点軸（２）との間を引き離す事により、キャップボルトを引っ張り、結果リターンピンが引き込まれる。
最後に、引き込み停止面（７）が金型傷防止カラー（３）上面と接する事によりロックがかかり、その後の金型組立てへ移行できるのである。
【図面の簡単な説明】
【０００７】
【図１】本発明の斜視図
【図２】本発明の断面図
【図３】本発明のグリップ（１）を引き起こす前の使用状態を示す断面図
【図４】本発明のグリップ（１）を引き起こした後の使用状態を示す断面図
【符号の説明】
【０００８】    １  グリップ
２  支点軸
３  金型傷防止カラー
４  キャップボルト
５  キャップボルト抜け防止
６  カム面
７  引き込み停止面
８  キャップボルトホルダー
９  金型可動側型板
１０  リターンピン
１１  スプリング
【図１】
2009220263.tif 000003
【図２】
2009220263.tif 000004
【図３】
2009220263.tif 000005
【図４】
2009220263.tif 000006
(57)【要約】【課題】車両、船舶、飛行機の屋内天井の従来の模様替えは、多大な日数や労力を費やしていたという問題があった。これは、模様替えの度に下地を剥がしたり、研磨して綺麗にしなくては模様替えのためのクロスが貼れないことや塗装が出来ない為である。施工上、下地が悪いと仕上がりが悪くなるからである。【解決手段】模様替えをする屋内天井に初期段階に前もって金属掲示板を取り付けておき、模様替えシートの裏に磁石を付着させて磁力により、取り付けていた金属掲示板に固定できる。模様替えは磁力での固定なので下地を剥がしたり、研磨などの作業がなくなる。また、下地が汚れたり、下地が悪く成ることはなく、誰でも簡単に磁力による模様替えが簡単に、何度でもできる。【選択図】図３
2009220648.tif 000002
【特許請求の範囲】
【請求項１】
車両、船舶、飛行機の屋内天井の曲線にフィットさせる為に金属板の周囲にスリットを入れた金属掲示板。
【発明の詳細な説明】
【技術分野】
【０００１】
本発明は、車輌、船舶、飛行機の屋内天井の模様替えの簡素化に関する。
【背景技術】
【０００２】
従来の車輌、船舶、飛行機の屋内天井の模様替えをするときは、クロスを張替えたり、塗り替えたりしていた。
【発明の開示】
【発明が解決しようとする課題】
【０００３】
以上に述べた従来の模様替えは、模様替えの度に下地を綺麗にしてクロスを貼ったり、塗装することを前提としているため多大な日数や労力を費やしていた。
【０００４】
本発明は、このような従来の構成が有していた問題を解決しようとするものであり、簡単に模様替えが何回でも出来ることを目的とするものである。
【課題を解決するための手段】
【０００５】
本発明は上記目的を達成するために車輌、船舶、飛行機の模様替えを行う屋内天井に前もって金属掲示板を取り付けておく。模様替えのシートの裏に磁石を付着させることで、いつでも、何回でも模様替えをすることができる。
【産業上の利用可能性】
【０００６】
上記の課題解決手段による作用は次の通りである。すなわち、初期段階に金属掲示板を天井に取り付けておくことで、いつでも、何回でも模様替えをすることが出来る。例えば観光バスなどの天井の模様を四季に応じて変える。また観光地域的に観光名所やマップなどの写真やデザインによる変化を与え、又、イベントごとに変えることで、新鮮さを提供できるいう効果を発揮できるするものである。これは船舶、飛行機も順ずる。またタクシーは自社広告や広告媒体として応用できる。これらの模様替えシートに酸化チタンをコーティングしておけば、内部の空気浄化の効果も期待できる。
【発明を実施するための最良の形態】
【０００７】
以下、本発明の実施の形態を図１〜図5に基づいて説明する。
【０００８】
それを図面で説明すれば、金属掲示板２を天井１に取り付け、模様替えシート４の裏に磁石３を付着したものである。
【０００９】
このようにすれば、初期に金属掲示板を内天井に取り付けるだけで、後はセットしたいものの裏に磁石を付着することで着脱は容易に何度でも可能である。
【００１０】
車輌、船舶、飛行機の屋内天井は曲線部分があるので、金属掲示板をこの曲線に馴染ませるために、金属掲示板の周囲にスリットを入れて、どのような曲線にも馴染むようにした。曲線にフィットさせて取り付ける。磁石はシート状の物を使用することで、曲線に馴染み磁力で固定される。
【００１１】
金属掲示板の厚みを0.05ｍｍ〜0.1ｍｍにすることで、軽く、スリット加工が容易で、天井取り付けも強粘着両面タックで出来、磁石の磁力で十分固定できた。
【００１２】
金属掲示板の取り付けは基本的にはビス類で固定する。
【図面の簡単な説明】
【００１３】
【図１】車輌等の天井と金属掲示板の断面である。
【図２】模様替えシートと磁石の断面である。
【図３】セットした時の断面である。
【図４】金属掲示板をスリッド加工した正面である。
【符号の説明】
【００１４】
１    車輌天井
２    金属掲示板
３    磁石
４    模様替えシート
【図１】
2009220648.tif 000003
【図２】
2009220648.tif 000004
【図３】
2009220648.tif 000005
【図４】
2009220648.tif 000006
(57)【要約】      （修正有）【課題】ボールペンにおいて、外側の本体主軸に広告を印刷するか、或いは貼付したものは存在したが、印象度、記憶度、話題性が高く長期間に有効な広告方法を提供する。【解決手段】ボールペンの主軸の末端に、透明で中空になったキャップを設け、広告に該当する現物を封入し、インクが充填された中軸部分に広告を印刷し、または透明な素材に印刷して貼付する。例えば、黒いインクに対しては、黒色で印刷する。印刷に気づかず、使用によって徐々減少するインクに従い、徐々に広告が出現し、それに気づいた使用者も、印象度、記憶度も非常に効果的で、話題性と共に、何よりも長時間に亘って、広告ができると言う利点があり、また主軸につくられた曲面や角面によるレンズ様の作用で、広告の文言が実際に印刷された寸法より大きく表示することが出来る。【選択図】図３
2009220549.tif 000002
【特許請求の範囲】
【請求項１】
ボールペンの端末部分に中空（１）にした透明なキャップ（２）を取り付け、透明な軸本体（８）に，ネジ（３）（４）或いは接着剤等で取り付ける。
中空には広告する現物（９）を入れる。
【請求項２】
ボールペンの中にある透明な中軸（７）に、インクと同じ色で広告（６）を印刷、或いは貼付し、使用ごとにインクが減少して、透明な軸本体を通して徐々に広告が現れるようにする。
【発明の詳細な説明】
【技術分野】
【０００１】  この発明は、ボールペンの軸本体の末端に透明な中空のキャップを設け、その中空に広告となる現物を入れ、透明な本体軸の中にあるインクを充填する中軸の透明な円筒部分に、充填位置に合わせて円筒部分に直接に広告等の文言を印刷、或いは透明な素材に印刷して貼付することに関したものである。
【背景技術】
【０００２】  従来より、大量な景品や販促品に適したものとして、廉価なボールペンを使った場合は、本体軸に広告を印刷し、広告の要素である感ずるものがない欠点があった。
本発明は、末端に収納された現物での親近感と、ボールペンの透明な中軸に広告を入れ、或いは透明な用紙に印刷された広告により、インクの減少と共に広告が現れ、見る人に感ずるものを与えることができる。
【発明の開示】
【発明が解決しようとする課題】
【０００３】  本発明は、今までになかった意表をついた広告の方法により、広告効果の向上と、長時間使用されるボールペンについて、長時間の広告を希望する広告主との関係を解決したものである。
例えば医薬品の現物を封入した場合、現在では医薬分業が定着して、そのため医薬品の現物を見た医師が少なく、薬に対する医師の親近感を醸成することができる。
また、中軸に印刷、或いは貼付する広告方式では、インクが消費されると広告が現れ、現物表示方式と双方に、その意外性から記憶度・印象度も高まります。
【課題を解決するための手段】
【０００４】  その解決手段を図面により説明すれば、本体軸（８）にネジ（３）（４）或いは接着剤などで、透明で中空（１）の有るキャップ（２）を取り付け、その中空に広告する現物（９）を入れる。
また、軸が透明なボールペン（９）を選び、その中にある細長い円筒型部分（７）に、インク充填位置（３）に合わせて（６）の広告を印刷、または透明なセロファンなどに印刷されたものを貼付する。
【発明の効果】
【０００５】  本発明は、広告をする現物を廉価なボールペンを用いて行なうことから量産が可能で、現物を見ると言うことは、例えば医薬分業が定着した現在、医者は薬薬品の現物に接する機会も少なく、このボールペンは医薬品現物が見えて親近感も生まれ、処方箋に商品名が記入されることになります。
ともとインクがなくなるまで、長期間に広告を行なうことに加えて、筆記具を使用する人に対して、渡す人がこの仕組みを黙って使用する人に知らせなければ、使用とともに広告が現れ、それを理解したときの驚きは、印象度、記憶度ともに効果があり、広告宣伝の目的に適しています。広告を入れる位置によって仕組みを遅らせたり、粘度の少ないインクの使用で、気がつく時間を調節することもできる。
【発明を実施するための最良の形態】
【０００６】  本ボールペンによる広告は、何よりも現物を入れた状態に対する親近感を求めるものであり、インクが入る軸に広告を入れることによって、使用によりインクが減り、広告が現れることに気づいたときの感動を求めるものであり、また本体透明軸の円筒形或いは数のある角形であっても、光学的に、印刷された広告が印刷された寸法より大きく見える。
【実施例１】
【０００７】  本ボールペンを使用する場合は、通常の筆記用具として使用するが、使用とともにインクが減少することに従い、印刷よりも大きく見える広告文言が徐々に現れる。
【図面の簡単な説明】
【０００８】
【図１】  ボールペンの斜視図（ａは図２・図３の断面）
【図２】  ボールペンの断面図
【図３】  徐々に広告が現れる順序
【符号の説明】
【０００９】１は医薬品原物などを挿入する空間    ６はインクの減少と共に徐々に見える広告
２は透明のキャップ                  ７はインクの入った中軸
３はキャップの内径にきられたネジ    ８は透明な軸本体
４は透明な軸本体のネジ              ９は広告となる現物
５はインクの最初の充填位置
【図１】
2009220549.tif 000003
【図２】
2009220549.tif 000004
【図３】
2009220549.tif 000005
(57)【要約】      （修正有）【課題】１本の筆で異なる太さの２種類の筆先を自在に使い分ける事を目的とし。筆を用いて塗布液を塗布する場合、同じ筆を使用しながら広い面や細い線を熟練した技術を必要とせずに容易に塗布する事を可能にした塗布具を提供する。【解決手段】柄１の一端部位に一辺を開口した細長く凹部３を設ける。凹部３の内側内部に小筆４を格納する。この時凹部３は柄１と毛２の接続側の一辺が開口してある為に、小筆４は自在に前後の移動が可能になる。小筆４を後方にスライドさせた場合、形状は一本の筆となんら変わることなく又、一本の筆として通常に使用可能であり。小筆４を前方にスライドさせた場合は細い筆として使用する事ができる、よって異なる太さの筆先を自在に使い分ける事を可能にした。【選択図】図３
2009220551.tif 000002
【特許請求の範囲】
【請求項１】
獣毛または合成繊維等の束毛を先端に有する、木材、その他適宜の材質によって形成された筆の柄（１）の一端部位に一辺を開口した凹部（３）を設け、該凹部（３）に小筆（４）を格納し開口部より該小筆（４）を出入り可能にする事を特徴した筆。
【発明の詳細な説明】
【技術分野】
【０００１】  本発明は、絵画、イラスト、デザインあるいは化粧用の刷毛やペイントなどに使用される筆に関する。
【背景技術】
【０００２】  従来、筆や刷毛は広範囲な産業で広く使用されており、その形状は、大きさ太さ長さと様々なものが市販されている。ほとんどの場合その使用目的は塗布液等を筆先に含ませ塗布する事である。【０００３】  このとき各分野において、細い線や太い線など塗布する面や線である塗布面に応じて太さの異なる多くの種類の筆を使用していた。これは絵画、デザイン、化粧、ペイント作業とあらゆる分野に共通している。【０００４】  太い筆を使用し、太い線や面に塗布液を塗布する事は容易であるが、細い部分や狭い部分で使用する事は熟練した技術を必要としていた。又、文具類の筆記具など市販されているものでは、筆記具の両端に２種類の異なる太さの筆先を設けたものがあるが、これは筆記具の内部に塗布液がある為に可能であり、使用範囲も限られていた。【０００５】  絵画、デザイン、化粧、ペイント作業とあらゆる分野で使用される筆や刷毛においては、塗布液等を筆先に含ませ塗布する事が主流である。しかし文具類の筆記具のように両端に２種類の異なる太さの筆先を設けたもの以外、１本の筆で異なる太さの２種類の筆先を使用できる機能を持たせたものは無く、筆を用いた各種作業分野において必然的に太さの異なる多くの種類の筆が必要であった。
【発明の開示】
【発明が解決しようとする課題】
【０００６】  本発明は、以上の点に鑑見みて成されたものでありその目的は、１本の筆で異なる太さの２種類の筆先を自在に使い分ける事を目的とし。筆を用いて塗布液を塗布する場合、同じ筆を使用しながら太い線や細い線を熟練した技術を必要とせずに容易に塗布する事を可能にした塗布具を提供するものである。
【課題を解決するための手段】
【０００７】  上述の目的を達成する為に本発明は、次のような手段を採用するものである。図１に示すように、筆の柄（１）の一端部位に一辺を開口した細長く凹部（３）を設ける。【０００８】  図４に示すように、凹部（３）の内側内部に小筆（４）を格納する。この時凹部（３）は柄（１）と毛（２）の接続側の一辺が開口してある為に、小筆（４）は自在に前後の移動が可能になる。【０００９】  図２に示すように、小筆（４）を後方にスライドさせた場合、形状は一本の筆となんら変わることなく又、一本の筆として通常に使用可能であり。小筆（４）を前方にスライドさせた場合は図３に示すように細い筆として使用する事ができる、よって本発明の筆は異なる太さの筆先を自在に使い分ける事を可能にしたものである。
【発明の効果】
【００１０】  絵画、イラストデザインあるいは化粧用の刷毛やペイントなど筆を使用する作業において、従来塗布液を塗布する線や面あるいは立体的な個所などでは、異なる太さの筆をその都度使い分けていたが、本発明の筆を使用することにより、筆を交換することなく太い線や細い線を、熟練した技術を必要とせず容易に塗布する事が可能になる。【００１１】  小筆（４）は必要な場合だけスライドして使用することが可能である為に、細い筆を用意しなければならない煩わしさを解消する事になり、少ない数の筆を使用する事は作業の効率にも貢献できる。
【発明を実施する為の最良の形態】
【００１２】  以下本発明の筆を実施の形態の一例として図面を参照して説明する。本発明、筆の柄（１）の一端部位に柄（１）と毛（２）の接続側の一辺を開口した細長い凹部（３）を設ける、これは凹部を設ける事により凹部（３）の内側内部に小筆（４）を格納する為であり、凹部（３）を設けずに柄（１）の一端外部に小筆（４）と柄（１）を連結するレールを設け小筆（４）を露出させた状態にする事も可能である。
【００１３】  小筆（４）は凹部（３）の内側内部の寸法に適合させ、又、凹部（３）の形状は柄（１）の芯に近い方を広い幅にする事で柄（１）からの脱落を防止し前後の移動のみが可能となる。又、異なる太さの筆先を使い分ける操作は小筆（４）の前後の移動のみである為に簡単に操作する事ができる。
【００１４】  凹部（３）の内側内部の寸法に適合させた小筆（４）を柄（１）に設けた凹部（３）に格納する。この時、凹部（３）小筆（４）は柄（１）に複数設ける事も可能であり、筆先を２種類に限定するものでは無い。
【００１５】  小筆（４）は筆本体からの脱着を可能にする事もでき、小筆（４）だけを単独で使用する事も可能である。又、塗布作業中一部分に細い毛先が必要な時は小筆（４）を前方にスライドさせ、必要以外の場合は後方に戻す事で毛先全体を使用する事ができる。
【図面の簡単な説明】
【図１】  本発明、筆の柄（１）の断面図である。
【図２】  本発明、筆の斜視図である。
【図３】  本発明、筆の斜視図である。
【図４】  本発明、小筆（４）を格納する斜視図である。
【符号の説明】
１    柄
２    毛
３    凹部
４    小筆
【図１】
2009220551.tif 000003
【図２】
2009220551.tif 000004
【図３】
2009220551.tif 000005
【図４】
2009220551.tif 000006
(57)【要約】【課題】従来のような紙カップは、無地、または模様入りのものが多く、飲食店等では使い捨ての消耗品として使用されるため経費が嵩むという不都合を解決する事を課題とする。【解決手段】飲食店等で使用されている紙カップに、広告情報等を表示する事により、使用する飲食店等以外のスポンサーが制作費を負担することで、飲食店等は、経費を節約することができる。【選択図】図１
2009220857.tif 000002
【特許請求の範囲】
【請求項１】
紙カップの外面に、企業宣伝、広告情報、絵画、または必要情報が表示されていることを特徴とするコップ。
【請求項２】
紙カップの外面に、二次元バーコードを表示して、携帯電話のカメラからインターネットに接続して、宣伝広告する商品画像やコマーシャルのコンテンツを伝えて、アクセス回数の記録なども簡易に収集できることを特徴とするコップ。
【発明の詳細な説明】
【技術分野】
【０００１】
本発明は、紙カップ容器に関するものである。
【背景技術】
【０００２】
以前から、紙カップは様々な場所で利用されてきている。文献的にも、特開平６−４８４３６号公報には、紙カップに蓋を付けることが記載されている。また、実開平６−７２４７７号公報には、断熱装置をカップに装備する紙製カップが記載されている。
【特許文献１】特開平６−４８４３６号公報
【特許文献２】実開平６−７２４７７号公報
【発明の開示】
【発明が解決しようとする課題】
【０００３】
しかし、従来のような紙カップは、無地、または模様入りのものが多く、飲食店等では使い捨ての消耗品として使用されるため経費が嵩むという課題がある。
【課題を解決するための手段】
【０００４】
この課題を解決するための請求項１の発明は、使用する飲食店等以外のスポンサーの広告表示を掲載し、スポンサーが制作費を負担することで、飲食店等は、経費を節約することができる。また、請求項２の発明は、二次元バーコードを表示して、携帯電話のカメラからインターネットに接続して、宣伝広告する商品画像やコマーシャルのコンテンツを伝えるといったユニークな構造が注目度を高めている。
【発明の効果】
【０００５】
本発明の紙カップは、他の広告媒体よりも経済的で、スポンサーはマーケットの動向調査や、商品の購入意欲調査など調査研究にも役立てる。購買者の意向を知ることにより販売方法が左右されるからである。この重大課題がより安価に達成されることに、意欲が動くことは当然で本発明が関心を呼ぶことは必然的である。
【発明を実施するための最良の形態】
【０００６】
図１は、紙カップの外面に、企業宣伝、広告情報、絵画、または必要情報が表示されていることを特徴とするカップの斜視図である。同図に示すように、紙カップに情報等を掲載することにより注目度が高まる。
【０００７】
「実施形態の効果」
この実施形態によれば、同図に示すように、使用する飲食店等以外のスポンサーの広告表示を掲載し、スポンサーが制作費を負担することで、飲食店等は、経費を節約することができる。
【産業上の利用可能性】
【０００８】
請求項１、２の発明に係る、情報が表示されている紙カップは工業的に量産する事が可能であるため、産業上の利用可能性を有する。
【図面の簡単な説明】
【０００９】
【図１】本発明の紙カップ容器の斜視図である。
【符号の説明】
【００１０】
１  紙カップ
２  広告情報
３  スポンサーの名称
４  二次元バーコード
【図１】
2009220857.tif 000003
(57)【要約】【課題】スーパーやコンビニエンスストア等で、物品を購入時に配布されるレジ袋に、重い物品を入れて持ち運ぶ際の、レジ袋の手提げ部分が、手のひらや指に食い込む苦痛を解消するレジ袋用持ち手を提供する。【解決手段】内側がビニール素材３、外側がスポンジ素材２の組み合わせの持ち手本体１をＣ型の形状とし、重い物品を入れた際のレジ袋の重さに柔軟に対応でき、手に馴染み持ちやすく使用できるようにする。【選択図】図１
2009220880.tif 000002
【特許請求の範囲】
【請求項１】
ビニールとスポンジを組み合わせた素材のＣ型の形状を特徴とするレジ袋用持ち手。
【請求項２】
前記Ｃ型の形状は、筒状の素材の側面を切り開いた状態の形状であることを特徴とする請求項１記載のレジ袋用持ち手。
【請求項３】
前記ビニールとスポンジを組み合わせた素材は、内側がビニール素材、外側がスポンジ素材の２層構造からなる組み合わせであることを特徴とする請求項１記載のレジ袋用持ち手。
【発明の詳細な説明】
【技術分野】
【０００１】この発明は、レジ袋を持つ際の手のひらの苦痛と負担を軽減する為に、レジ袋の手提げの部分に装着する持ち手に関するものである。
【背景技術】
【０００２】従来の持ち手は、プラスチック製の両端に引っ掛けが設けられたものがあった。【０００３】
【特許文献１】２００５−２８９４１９号公報特開
【発明の開示】
【発明が解決しようとする課題】
【０００４】しかしながら、以上の技術によれば、プラスチック製であるために引っ掛ける袋の重さによっては変形や破損することがあった。
また、持ちやすさの上で、不満な点があった。
そこで、この発明は、レジ袋の重さに柔軟に対応でき、持ちやすいレジ袋用持ち手を提供することを課題とする。
【課題を解決するための手段】
【０００５】以上の課題を解決するために、第一発明は、Ｃ型の形状を特徴とするレジ袋用持ち手である。
また、第二発明は、内側がビニール素材３、外側がスポンジ素材２の組み合わせであり、レジ袋の重さに柔軟に対応でき持ちやすいことを特徴とするレジ袋用持ち手である。
【発明の効果】
【０００６】第一発明、第二発明によれば、内側がビニール素材３のためレジ袋の重さに柔軟に対応でき、外側がスポンジ素材２であるため、手に馴染み、持ちやすい。
【発明を実施するための最良の形態】
【０００７】この発明の一実施形態を、図１に示す。
レジ袋用持ち手の本体は内側がビニール素材３、外側がスポンジ素材２の、２層構造からなる、Ｃ型の形状をもたせている。【０００８】「実施形態の効果」
この実施形態によれば、手持ち本体のレジ袋手提げ差込口４からレジ袋の両側の手提げ部分を通し、レジ袋手提げとともに手持ち本体１を持ち上げる。Ｃ型の形状の働きで、レジ袋の手提げ部分が手のひらに食い込むことなくレジ袋を持ち運ぶことが出来る。手持ち本体１内側がビニール素材３のためレジ袋の重さに柔軟に対応でき、外側がスポンジ素材２なので、手に馴染み持ちやすい。
【図面の簡単な説明】
【０００９】
【図１】本発明の斜視図である。
【図２】本発明の正面図である。
【図３】本発明の上面図である。
【図４】本発明の断面図である。
【符号の説明】
【００１０】１  持ち手本体
２  スポンジ素材
３  ビニール素材
４  レジ袋手提げ差込口
【図１】
2009220880.tif 000003
【図２】
2009220880.tif 000004
【図３】
2009220880.tif 000005
【図４】
2009220880.tif 000006
(57)【要約】      （修正有）【課題】ティッシュが少なくなってきたときに、ティッシュカートンに入れてあるシン目から分離して、切断した、ティッシュカートン底部分を、ティッシュ押し込み蓋として、利用する、高さ調整の出来る、ティッシュカートンを提供する。【解決手段】ティッシュが少なくなってきたときに、ティッシュカートン本体（１）に入れてある、ミシン目（２）から分離して、切断した、ティッシュカートン本体底部分（３）を、ティッシュ押し込み蓋として、利用して、ティッシュが少なくなってきたら、分離したティッシュカートン本体底部分（３）を、ティッシュ取り出し口まで押し込み、ティッシュを、取りやすくする。ティッシュカートンを分離して、高さ調整できるティッシュカートンを特徴とする。【選択図】図４
2009220883.tif 000002
【特許請求の範囲】
【請求項１】
ティッシュカートン、側面部分（１）に、ミシン目で切断できる箇所（２）を設け、切断したティッシュカートン（３）を、ティッシュ押し込み蓋として使う、高さ調整できるティッシュカートンである。
【発明の詳細な説明】
【技術分野】
【０００１】  この発明は、ティッシュカートン（１）に、切断用、ミシン目（２）を入れ、て切断して、ティッシュ押し込み蓋（３）として、利用する、ティッシュの高さ調整できる、ティッシュカートンに関するものである。
【背景技術】
【０００２】  従来のティッシュカートンは、ティッシュが少なくなると、取り出し口に、指を奥まで入れないと、ティッシュが、出しにくかった。又、ティッシュカートンを、リサイクルするのに、潰しにくかったので、面倒で、資源ゴミとしてリサイクルされていなかったのが現状である。
【発明の開示】
【発明が解決しようとする課題】
【０００３】これは、次のような、欠点があった。
（１）ティッシュが少なくなると、指を奥まで入れないと、取り出せなかった。
（２）使い終わったティッシュカートンを潰しにくかった。
（３）ティッシュカートンガ資源コミとしてリサイクルされにくかった。
【課題を解決するための手段】
【０００４】  ティッシュカートン（１）に、切断用、ミシン目（２）が、入っているので、ティッシュが少なくなってきたら、ミシン目から、切断して、ティッシュカートンを分離して、切断した、底部分を、ティッシュ押し込み蓋（３）として利用し、紙全体をティッシュ取り出し口付近まで押し上げて、ティッシュを取りやすくする、構造である。
本発明は、以上の構成による、高さ調整の出来るティッシュカートンである。
【発明の効果】
【０００５】  ティッシュを使っているうち、ティッシュが少なくなってきたときに、ティッシュカートンに入れてある、ミシン目から、切断して、切断した、ティッシュカートン部分を、ティッシュ押し込み蓋として利用して、ティッシュ取り出し口まで、押し上げて、ティッシュを取りやすくする。又、ティッシュカートンガ潰しやすいので、資源ゴミとして、分別しやすい。
【発明を実施するための最良の形態】
【０００６】  以下、本発明を実施する為の、最良の形態について説明する。
ティッシュカートン（１）に、切断用ミシン目（２）を、入れて、ティッシュ全体が少なくなってきたら、ミシン目（２）から切断して、ティッシュカートンを分離して、切断した、底部分を、ティッシュ押し込み蓋（３）として、利用し、ティッシュ全体をティッシュ取り出し口まで押し上げて、ティッシュを取りやすくする、又、ティッシュ押し込み蓋（２）とティッシュカートン本体（１）は、（※切断したティッシュカートンは同じ箱から切断したもので同じ大きさである）摩擦力で下に下がらない構造である。
【図面の簡単な説明】
【０００７】
【図１】  ティッシュカートン本体部分
【図２】  ミシン目で切断された、ティッシュ本体上部分
【図３】  ミシン目で、切断され、ティッシュ押し込み蓋として利用されるティッシュカートン本体下部分
【図４】  ティッシュカートンを切断し、ティッシュカートン本体上部分（１）の中、に押し込み蓋として使うティッシュカートン本体底部分（２）、を差し込んだ状態の断面図
【符号の説明】
【０００８】  （１）ティッシュカートン本体上部分
（２）ティッシュカートン切断用、ミシン目
（３）ティッシュカートン本体下部分
【図１】
2009220883.tif 000003
【図４】
2009220883.tif 000004
【手続補正書】
【提出日】平成20年10月25日(2008.10.25)
【手続補正１】
【補正対象書類名】図面
【補正対象項目名】全図
【補正方法】変更
【補正の内容】
【図１】
2009220883.tif 000005
【図２】
2009220883.tif 000006
【図３】
2009220883.tif 000007
【図４】
2009220883.tif 000008
(57)【要約】      （修正有）【課題】紙紐で結束するとき簡単に切れたり、緩んだりすることを防止し、結束作業を簡便に行う。【解決手段】結束板に設けたスリットに紙紐を挿入して相互の摩擦力で紙紐を係止したうえで、古紙やダンボールに紙紐を巻き回することにより、力を要することなく簡単に結束が出来る。【選択図】図３
2009220881.tif 000002
【特許請求の範囲】
【請求項１】
従来、新聞紙又はダンボールを紙紐で結んで古紙等回収日に出していましたが紙紐で結ぶとき強く引っ張ると紐が切れたり  紙紐が緩んだりする。
古紙の再利用のために従来、紙紐で結束しなければならないものが上記の理由で他の物にて結束している
紙紐を通して引っ張って結ぶだけで簡単に強く結ぶことができる
紙紐でも簡単に結束が出きる為、市（又は都）の条例通りできる
結束する部分が少ないため資源の節約になる
【請求項２】
【発明の詳細な説明】
【技術分野】
【０００１】本発明は、一般家庭で古紙又はダンボールの回収日に簡単に紙紐で結束が出来る為回収場所に持っていくことが出来る
【背景技術】
【０００２】従来  使用している紙紐が簡単に結束することが出来る
【特許文献１】
【特許文献２】
【非特許文献１】
【非特許文献２】
【発明の開示】
【発明が解決しようとする課題】
【０００３】紙紐で結束する時、切れたり緩んだりする。
【課題を解決するための手段】
【０００４】紙で、出来ている結束坂を使用することで、簡単に結束することが出来る。
【発明の効果】
【０００５】上述したように本発明の、結束坂は市（又は都）の条例で古紙、ダンボールは紙紐にて結束をして回収日に出すことが出来る
【発明を実施するための最良の形態】
【０００６】本発明の実施の形態を図１〜図３に基づいて説明する。
【実施例】
【産業上の利用可能性】
【図面の簡単な説明】
【図１】従来の結束のやり方
【図２】結束坂を使用して結束した形、表側と裏側
【図３】結束坂
【符号の説明】
Ａ  本体は全ての材料でも可能（今回は紙です。）
Ｂ  の部分が開いているため簡単に紐を通す事が出来る
Ｃ  の部分に最後の紐を挟み込んで切る
【図１】
2009220881.tif 000003
【図２】
2009220881.tif 000004
【図３】
2009220881.tif 000005
【手続補正書】
【提出日】平成20年6月19日(2008.6.19)
【手続補正１】
【補正対象書類名】特許請求の範囲
【補正対象項目名】全文
【補正方法】変更
【補正の内容】
【特許請求の範囲】
【請求項１】
従来、新聞紙又はダンボールを紙紐で結んで古紙等回収日に出していましたが紙紐で結ぶとき強く引っ張ると紐が切れたり  紙紐が緩んだりする。
古紙の再利用のために従来、紙紐で結束しなければならないものが上記の理由で他の物にて結束している
紙紐を通して引っ張って結ぶだけで簡単に強く結ぶことができる
紙紐でも簡単に結束が出きる為、市（又は都）の条例通りできる
結束する部分が少ないため資源の節約になる